(57)【要約】【課題】簡単な構成で、切断刃の交換ができ、かつ、安全性の高いテープ切断具を提供する。【解決手段】本体の一側端に設けたテープ挿入開口から他側の連結部に向けて横方向に次第に幅狭になるテープ切断空間を設け、該テープ切断空間の奥端側に前記連結部に設けた上下縦方向の差込溝に差し込み固定した切断刃を突出させており、前記テープ切断空間に横入れするテープを縦方向に配置する前記切断刃に向けて引っ張ることで、該テープの幅方向の一端から他端に向けて切断する構成としている。【選択図】図１
2015074069.tif 000002
【特許請求の範囲】
【請求項１】
本体の一側端に設けたテープ挿入開口から他側の連結部に向けて横方向に次第に幅狭になるテープ切断空間を設け、該テープ切断空間の奥端側に前記連結部に設けた上下縦方向の差込溝に差し込み固定した切断刃を突出させており、
前記テープ切断空間に横入れするテープを前記縦方向に配置する前記切断刃に向けて引っ張ることで、該テープの幅方向の一端から他端に向けて切断する構成としているテープ切断具。
【請求項２】
前記切断刃が突出する前記テープ切断空間の奥端側の上下寸法は切断するテープの厚さ以上で２ｍｍ以下としている請求項１に記載のテープ切断具。
【請求項３】
前記連結部の外端面に前記差込溝の先端の差込口を設け、該差込口を開閉するカバー部の外面から把持棒を突出させた把持部を、前記本体と一体または別体で設けている請求項１または請求項２に記載のテープ切断具。
【請求項４】
前記本体または把持部に紐の一端を連結し、該紐の他端をバネに連結し、該バネを収納した収納容器を、ワイヤハーネス組立作業台の上方を含む周辺に配置し、テープ切断位置に前記紐を引っ張って移動できる構成としている請求項１乃至請求項３のいずれか１項に記載のテープ切断具。
【発明の詳細な説明】
【技術分野】
【０００１】
本発明はテープ切断具に関し、詳しくは、ワイヤハーネス用テープとして汎用されている織布テープ用のテープ切断具として好適に用いられるものである。
【背景技術】
【０００２】
従来、車両用ワイヤハーネスの電線群の結束用等として粘着テープが汎用されており、該粘着テープは巻き付け後に作業員が手で千切れるものが多い。これに対して、近時、耐摩耗性が良く、異音防止効果があり、且つ、見栄えが良い等の理由で織布テープが汎用されている。該織布テープはＰＥＴ等の剛性を有する樹脂糸の織布からなる基材をゴム系の粘着剤に含浸して作成されており、基材の樹脂糸を作業員が手で千切れないため、テープ切断具を用いて切断されている。
【０００３】
ワイヤハーネス組立工程でテープの巻き付けは種々の工程で用いられている。例えば、ワイヤハーネスの幹線及び枝線の電線群をそれぞれ結束するため、ワイヤハーネスに外装したコルゲートチューブの端末をワイヤハーネスに固着するため、電線群にクリップを取り付けるため、電線群の外周にジョイントコネクタを固着するため等、多数の箇所にテープ巻きがなされる。よって、このテープ巻き付け終了後にテープを切断する位置も多数箇所となり、前記テープが手で千切れない織布テープの場合、作業員が携帯するハンドタイプのテープ切断具が用いられている。
【０００４】
前記ハンドタイプのテープ切断具として、従来、図６（Ａ）（Ｂ）に示すテープ切断具が汎用されている。該テープ切断具１００は作業員の手で把持する環状把持部１０１の一部から外径方向へ突出した後に周方向に屈折させた切断刃保持部１０２を設け、該切断刃保持部１０２の内面と環状把持部１０１の外周との間にテープ切断空間１０３を設けている。切断刃保持部１０２に切断刃１０５の上部をモールド固定し、該切断刃１０５の下部を前記テープ切断空間１０３に上方から突出させ、該テープ切断空間１０３に挿入したテープ２００を上向きに引っ張ると切断刃１０５で切断できるようにされている。また、切断刃保持部１０２の周方向の先端からに環状把持部１０１側へ内径方向に屈曲してテープ挿入用アーム部１０６を設け、該テープ挿入用アーム部１０６の先端内面と環状把持部１０１の外周面の間にテープ挿入口１１０を設け、前記テープ切断空間１０３に連続させている。前記テープ挿入口１１０からテープ２００を横入れしてテープ切断空間１０３に挿入している。
【０００５】
前記テープ切断具１００では、ワイヤハーネスの電線群をテープ２００で巻き付けた後に、テープ２００をテープ切断具１００のテープ挿入口１１０に横入れし、テープ切断空間１０３へ移動させた後にテープ２００を上向きに引っ張るだけで切断できる。
【０００６】
なお、従来、テープ切断具として特開２００８−２３８３４５号公報で、切断刃が指に触れない安全性が高い切断具が提供されている。しかしながら、該切断具はハンドタイプでなく定位置に設置されるものであるため、テープの巻付作業後のテープカット位置が種々の複数位置に分散されることから、ワイヤハーネス用テープの切断具としては不適である。
また、ハンドタイプのテープカッターとして、特開平１１−４９４１８号公報で、図７（Ａ）（Ｂ）に示す粘着テープ４００のコイルを収容すると共に、引き出した粘着テープ４００をカッター４０１で切断できる粘着用テープカッターが提供されている。しかしながら、ワイヤハーネスに巻き付ける粘着テープは長いため、粘着テープをテープカッターに収容して引き出しながらワイヤハーネスに巻き付けると作業性が非常に悪くなり、該テープカッターはワイヤハーネス用テープのハンドカッターとしては不適である。
【先行技術文献】
【特許文献】
【０００７】
【特許文献１】特開２００８−２３８３４５号公報
【特許文献２】特開平１１−４９４１８号公報
【発明の概要】
【発明が解決しようとする課題】
【０００８】
前記図６に示す汎用されているハンドタイプのワイヤハーネス用のテープ切断具１００は、テープ挿入口１１０は細くされているが、不意な力が作用してテープや細径電線がテープ挿入口１１０から押し込まれて切断刃１０５で切断される恐れがある。また、比較的広いテープ切断空間１０３に切断刃１０５が突出して剥き出しの状態になっているため、作業者が不用意に指を入れて怪我する恐れがある。さらに、切断刃１０５の交換ができず使い捨てであるため、切れ味が悪くなると廃棄しなければならず資源の無駄になる。
【０００９】
本発明は前記問題を解消し、テープ挿入口から不用意にテープや細径電線が挿入できないようにし、かつ、テープ切断空間に切断刃が常時剥き出しにならないようにし、さらに、切断刃の交換が容易にできるテープ切断具を提供することを課題としている。
【課題を解決するための手段】
【００１０】
前記課題を解決するため、本発明は、本体の一側端に設けたテープ挿入開口から他側の連結部に向けて横方向に次第に幅狭になるテープ切断空間を設け、該テープ切断空間の奥端側に前記連結部に設けた上下縦方向の差込溝に差し込み固定した切断刃を突出させており、
前記テープ切断空間に横入れするテープを前記縦方向に配置する前記切断刃に向けて引っ張ることで、該テープの幅方向の一端から他端に向けて切断する構成としているテープ切断具を提供している。
【００１１】
前記切断刃が突出する前記テープ切断空間の奥端側の上下寸法は切断するテープの厚さ以上で２ｍｍ以下としている。
即ち、切断刃はテープ切断空間の奥端側に突出させているが、該奥端側の上下寸法はテープを挿通可能とするが、作業員の指が入らず、かつ、細径電線も挿入不可の寸法として、不用意に切断されないようにし、安全性を図っている。
【００１２】
前記連結部の外端面に前記差込溝の先端の差込口を設け、該差込口を開閉するカバー部の外面から把持棒を突出させた把持部を、前記本体と一体または別体で設けていることが好ましい。
【００１３】
前記差込口を通して切断刃の挿入および取り出しが容易にできる。特に、該差込口を挟んで作業員が切断刃を指ではさんで挿入できる凹部を設けておくと、切断刃の交換がより簡単確実に行える。
さらに、差込口を把持部を兼ねたカバー部で閉鎖することで、切断刃が不用意に脱落して外れるのを防止できる。
なお、差込口のカバーと把持部とを別の位置に離して設けてもよい。
【００１４】
さらに、前記本体または把持部に紐の一端を連結し、該紐の他端をバネに連結し、該バネを収納した収納容器を、ワイヤハーネス組立作業台の上方を含む周辺に配置し、テープ切断位置に前記紐を引っ張って移動できる構成とすることが好ましい。
【００１５】
前記構成とすると、作業員がテープ切断具を携帯しておく必要はなく、ワイヤハーネス組立作業台上でテープ巻き作業が終了してテープを切断する時に、上方等から吊り下げているテープ切断具の紐を引き下げて切断位置に移動させることができる。かつ、テープ切断作業終了後には元の位置にバネで自動復帰させることができ、非常に使い勝手が良くなる。
【発明の効果】
【００１６】
前記のように、本発明のテープ切断具は、テープを幅方向の一端から横向きにテープ切断空間に挿入し、縦方向に直交配置している切断刃に向けて引っ張り、テープを幅方向の一端から他端に向けて切断刃で切り裂くように切断している。該切断方法を採用することで、テープを挿入できる厚さを有するテープ切断空間の奥端側に切断刃を配置すればよく、切断刃が突出しているテープ切断空間の奥端側の上下寸法を、通常１ｍｍ以下のテープの厚さと同等にできる。その結果、該テープ切断空間の切断刃を突出する奥端側に作業員の指や細い電線等が不用意に入り込むことはできず、安全性を高めることができる。よって、操作レバー等でテープ切断時にテープ切断空間に切断刃を突出させると共に非切断時に退避させる構成とする必要がなく、テープ切断具の構成を簡単にできる。
【図面の簡単な説明】
【００１７】
【図１】(Ａ)(Ｂ)は本発明のテープ切断具の実施形態を示す斜視図である。
【図２】（Ａ）は前記テープ切断具の正面図、（Ｂ）は図１（Ａ）のＢ−Ｂ線断面図である。
【図３】（Ａ）は図１の右側面図、（Ｂ）は把持部を開いた状態の側面図、（Ｃ）は（Ｂ）のＣ−Ｃ線断面図である。
【図４】（Ａ）は前記テープ切断具に紐を連結してバネ収納容器に連結した状態を示す説明図、（Ｂ）はワイヤハーネス組立作業台上に上記テープ切断具を配置した状態を示す概略図である。
【図５】（Ａ）〜（Ｄ）は前記テープ切断具でテープを切断する過程の説明図である。
【図６】（Ａ）（Ｂ）は汎用されている従来例を示す図面である。
【図７】（Ａ）（Ｂ）は他の従来例を示す図面である。
【発明を実施するための形態】
【００１８】
以下、本発明のテープ切断具の実施形態を図１乃至図５を参照して説明する。
テープ切断具１は、図１及び図２に示すように、樹脂成形品の略直方体形状の本体２０の左端側から横方向に切り込んで右側の連結部４に達する溝５を設け、該溝５を挟んで上下対称の上部２と下部３の図中右側を連結部４で連結した形状としている。
前記上部２と下部３の対向面２ａ、３ａに長さ方向Ｘの他端側から一端側の連結部４に向けて前記溝５を設け、該溝５は次第に収斂するＶ状部５ａの先端から奥端にかけて細い一定寸法とした奥端側５ｂを設け、該溝５により形成された空間をテープ切断空間６としている。
【００１９】
前記テープ切断空間６のＶ状部５ａの幅広とした先端開口をテープ挿入開口７とし、収斂させた奥端側５ｂの奥端に薄板矩形状の切断刃１０を図中上下縦方向に固定している。切断刃１０が突出しているテープ切断空間６の奥端側の上下高さ寸法Ｈは切断する織布テープ５０の厚さより若干厚い２ｍｍ以下としている。
前記切断刃１０に向けてテープ挿入開口７より織布テープ５０を幅方向の一端から横入れして引っ張ることで、縦方向に配置した切断刃１０で織布テープ５０を切り裂いていくように切断するものとしている。
【００２０】
前記切断刃１０を本体２０に固定するため、連結部４の端面４ａの上下方向の中央部から、上下方向に差込溝８を連結部４に切り込んで設けている。該差込溝８は矩形状とし、図２（Ｂ）に示すように、差込溝８の上下長さ８ｘは切断刃１０の長さ１０ｘと対応し、差込溝８の切り込み深さ８ｙは切断刃１０の幅１０ｙに対応させている。かつ、該差込溝８の厚さは切断刃１０の板厚に相当する薄いスリット状としている。該差込溝８の上下長さ方向の中央部はテープ切断空間６の奥端６ｐに開口すると共に、該奥端６ｐと連続するテープ切断空間６を挟む上部２と下部３の対向面２ａ、３ａの奥端側に差込溝８が開口している。
【００２１】
さらに、図３（Ａ）（Ｂ）（Ｃ）に示すように、連結部４の端面４ａに開口した差込口８ａを挟んで円弧状凹部９を設けている。該円弧状凹部９は、切断刃１０を差込溝８に差し込む際及び取り出す際に円弧状凹部９に作業員の指が入るようにして切断刃１０の交換を容易としている。
【００２２】
差込溝８に差し込んだ切断刃１０は図１および図２に示すように、先端の刃先１０ａがテープ切断空間６の奥端６Ｐから突出し、前記のように、テープ切断空間６に挿入する織布テープ５０を切断できるようにしている。一方、切断刃１０の基部１０ｂの端面は差込溝８の差込口８ａに位置する。差込溝８に差し込んだ切断刃１０は略密嵌状態になるため、差込口８ａから脱落することはないが、差込口８ａをカバーする状態で把持部１５を端面４ａの一端に薄肉ヒンジ部１６を介して開閉自在に設けている。
【００２３】
把持部１５は連結部４の端面４ａと略同幅のカバー部１５ａの一端を前記薄肉ヒンジ部１６と連結すると共に、他端に係止爪１５ｒを設け、連結部の端面４ａの他端側に設けた係止枠４ｒに挿入係止している。また、カバー部１５ａの外面から把持棒１５ｂを突出し、作業員が把持棒１５ｂを持ってテープ切断位置へテープ切断具１を移動できるようにしている。
【００２４】
図４に示すように、前記把持棒１５ｂに設けた穴１５ｈに紐１８を挿通し、該紐１８の他端を収納容器２１に収容した渦巻きバネ２２の先端に連結している。該渦巻きバネ２２は紐１８を収納容器２１側に引き戻す方向に付勢している。図４（Ｂ）に示すように、収納容器２１はワイヤハーネス組立作業台３０に沿って立設した指示台３１上に設置し、テープ切断具１は紐１８でワイヤハーネス組立作業台３０の上方に吊り下げている。テープの切断時に、作業員が把持棒１５ｂを持ってテープ切断具１を引き下げると、紐１８が収納容器２１から引き出されワイヤハーネス組立作業台３０上の所要位置に配置し、テープ切断具１の下部３の底面を定置し、任意の位置で織布テープ５０の切断ができるようにしている。かつ、該定置した状態で、紐１８の引き出しが一時停止でき、その後、紐１８を戻す動作で前記渦巻きバネ２２で引き戻されて、テープ切断具１は作業の邪魔にならない上方位置に自動復帰できるようにしている。
【００２５】
なお、テープ切断具１を前記のように、ワイヤハーネス組立作業台上に吊り下げる代りに、ワイヤハーネス組立作業台の近傍に配置した治具載せ台上に搭載して用意しておき、テープ切断時に作業員が治具載せ台から取り出して、ワイヤハーネス組立作業台上に置いて使用してもよい。
【００２６】
前記テープ切断具１によるテープの切断作業は、図５（Ａ）（Ｂ）に示すように、広幅のテープ挿入開口７からテープ切断空間６へ織布テープ５０を矢印で示すように幅方向の一端から横入れし、切断刃１０が突出している奥端側に向けて引っ張る。これにより、図５（Ｃ）に示すように、織布テープ５０は幅方向の一端から他端に向けて切断刃１０で引き裂くように切断されていく。最終的に図５（Ｄ）に示すように、テープ切断具１の連結部４側で織布テープ５０は完全に切断される。
【００２７】
切断刃１０の交換は、把持部１５を開き、差込溝８の差込口８ａより切断刃１０を抜き出し、その後、新しい切断刃１０を差し込み、その後、把持部１５を閉じてロック結合するだけでよい。このように、切断刃１０の交換が容易にできる。
【００２８】
前記テープ切断具１は、テープ切断空間６の奥端側に切断刃１０を突出させているが、該切断刃１０が突出した奥端側部分は空間の上下高さＨがテープの厚さより若干広くしているだけで、略２ｍｍ程度であるため、作業員が不用意に指を入れることはできず安全性が高い。また、細径電線も押し込まれることはなく、電線が不意に切断されることもない。
【００２９】
本発明は前記実施形態に限定されず、前記カバー部と把持棒を一体とした把持部を本体と別体に設け、取付自在としてもよい。さらに、カバー部と把持部とを一体に設けず、把持部は本体の別の箇所から突出してもよい。
【００３０】
さらに、本発明のテープ切断具はワイヤハーネス用として汎用されている手で千切れない織布テープの切断に好適に用いられるが、他のテープおよび他の用途に用いられるテープの切断具としても好適に用いられる。
【符号の説明】
【００３１】
１  テープ切断具
２  上部
３  下部
４  連結部
６  テープ切断空間
７  テープ挿入開口
８  差込溝
１０  切断刃
１５  把持部
２０  本体
５０  織布テープ
【図１】
2015074069.tif 000003
【図２】
2015074069.tif 000004
【図３】
2015074069.tif 000005
【図４】
2015074069.tif 000006
【図５】
2015074069.tif 000007
【図６】
2015074069.tif 000008
【図７】
2015074069.tif 000009